(57)【要約】【課題】障子を閉じたときには、施錠しなくても外からは開くことができなく、また、内側からは容易に開閉することのできる目隠しパネル付き面格子サッシを提供する。【解決手段】建物の開口部に取り付ける窓枠に、外面に桟を配列して面格子を構成するとともに、不透明または半透明の上部目隠しパネルの嵌め込みにより上半部を封じてなり、また、この窓枠には、上部目隠しパネルの下に空いた下半部を封じる別途目隠しパネルが枠組みされる障子を、上部目隠しパネルの室内側において上下可能に収納し、さらに、障子を受ける窓枠の下枠には、外側端に障子の下框が落ち込む高さの障害起立部を設け、障子の開閉について、障子を開きに自動的に保持し得るとともにそのロック状態を押しボタンで解除できる自動ロックと解除装置を装備してある。【選択図】    図１
0003130462.tif 000002
【実用新案登録請求の範囲】
【請求項１】
建物の開口部に取り付ける窓枠に、外面に桟を配列して面格子を構成するとともに、不透明または半透明の上部目隠しパネルの嵌め込みにより上半部を封じてなり、また、この窓枠には、上部目隠しパネルの下に空いた下半部を封じる別途目隠しパネルが枠組みされる障子を、上部目隠しパネルの室内側において上下可能に収納し、さらに、障子を受ける窓枠の下枠には、外側端に障子の下框が落ち込む高さの障害起立部を設け、障子の開閉について、障子を開きに自動的に保持し得るとともにそのロック状態を押しボタンで解除できる自動ロックと解除装置を装備してあることを特徴とする目隠しパネル付き面格子サッシ。
【考案の詳細な説明】
【技術分野】
【０００１】
この考案は、面格子の内側に障子を開閉可能に設けた目隠しパネル付き面格子サッシに関する。
【背景技術】
【０００２】
面格子は、防犯や覗き見防止等の目的で窓枠に具備されるが、風雨の侵入を防止する必要があるので、内側には障子ないしドアが開閉可能に設けられる。そして、覗き見を確実に防止するために、左右引違い障子やドアのガラスに不透明な目隠しパネルを使用することが多い。また、現在、この分野でもアルミ押出形材が窓の建具素材として普通に用いられている。このような建具を目隠しパネル付き面格子サッシということにする。
【０００３】
このような目隠しパネル付き面格子サッシによれば、障子またはドアを閉じたときの防犯のためにクレセント等で施錠するようになっているが、開閉するたびに施錠と解錠を繰り返すことは非常に面倒であった。かと言って施錠をしなければ無防備となるという問題があった。
【考案の開示】
【考案が解決しようとする課題】
【０００４】
この考案は、上記のような実情に鑑みて、障子を閉じたときには、施錠しなくても外からは開くことができなく、また、内側からは容易に開閉することのできる目隠しパネル付き面格子サッシを提供することを課題とした。
【課題を解決するための手段】
【０００５】
上記の課題を解決するために、この考案は、建物の開口部に取り付ける窓枠に、外面に桟を配列して面格子を構成するとともに、不透明または半透明の上部目隠しパネルの嵌め込みにより上半部を封じてなり、また、この窓枠には、上部目隠しパネルの下に空いた下半部を封じる別途目隠しパネルが枠組みされる障子を、上部目隠しパネルの室内側において上下可能に収納し、さらに、障子を受ける窓枠の下枠には、外側端に障子の下框が落ち込む高さの障害起立部を設け、障子の開閉について、障子を開きに自動的に保持し得るとともにそのロック状態を押しボタンで解除できる自動ロックと解除装置を装備してあることを特徴とする目隠しパネル付き面格子サッシを提供する。
【考案の効果】
【０００６】
以上のように、この考案の目隠しパネル付き面格子サッシは、上部目隠しパネルの内側において上下スライド式であって、それが降りて窓枠の下枠に受けられた閉じの状態では、外側からだと下框の下端縁が障害起立部により塞がれているために、犯意ある不正者が障子を持ち上げる手掛かりがないため開けることはできなく、その仕組みが目隠しパネルにより外からは見えないこと、面格子であることとも相まって、必ずしも施錠をしなくても防犯の安全性を確保できる。しかし、室内側からは障害がないので障子を容易に開閉できるという優れた効果がある。
【考案を実施するための最良の形態】
【０００７】
図面は、一実施の形態を示したもので、その目隠しパネル付き面格子サッシＳは、サッシ本体としての窓枠１に外側において縦桟３，３，・・を配設することにより面格子を構成し、窓枠１の内側には上半部に上部目隠しパネル５が嵌め込まれて、縦桟３と共に窓枠１に固定されている。また、窓枠１には、下半部を開閉する障子７が上下スライド可能に嵌め込まれ、その間に障子７の開いた高さ位置を保持する自動ロックと解除装置９が装備される。
【０００８】
障子７のスライド位置については、上端部で上部目隠しパネル５に対して内側に重なり合うようになっており、また、窓枠１の下端部には、障子７が閉じたとき手掛け不能に落ち込む障害起立部１０ａが設けられる。なお、主な部材はアルミ押出形材により形成される。以下に具体的に説明する。
【０００９】
窓枠１は、建物の窓に直接または先付けの枠に取り付けて嵌着されるもので、左右縦枠１１，１１と上枠１２および下枠１３とから構成され、プラスチック製のコーナーブロック１５により枠組みされている。また、左右縦枠１１，１１の内面には、障子７が上下可能に係合するようチャンネル形に形成されたスライド案内部材１７，１７が帯状の補助板１９，１９を介してビス止めされる（図５）。そして、案内部材１７，１７の外面に前記した上部目隠しパネル５が固着されている。
【００１０】
障子７は、下ろしたときにその下端が下枠１３の上面で受け止められるが（図４）、その外側面に添え板１０が固着されその上端部が障害起立部１０ａとして下枠１３の上面よりも高さＨにおいて突出しているので、その障害起立部１０ａが妨げとなって、外からは障子７の下、つまり下框２３の下縁に指や突起物等の器具を掛けることはできない。
【００１１】
障子７は、左右縦框２１，２１と上框２２および下框２３からなり、この枠組みの中に目隠しパネル２５が嵌め込まれている。そして、下框２３において自動ロックと解除装置９が構成される。また、窓枠１においては、案内部材１７，１７のチャンネル形底面に、補助板１９，１９にわたってピン孔２７穿設される（図６）。これによって、障子７が開いた状態（図３）が保持されるが、中途においても障子７が停止するようにさらに途中にピン孔を設けておくこともある。
【００１２】
自動ロックと解除装置９は、障子７の下框２３に中空ブロック２９を嵌着し、中空ブロック２９にバネ３１が内装され、また、その中空ブロック２９には、先端がピン孔２７に突入するようバネ３１で付勢される掛止ピン３０を横に突出しているほか、バネ３１を押さえる押しボタン３３が下面に突出し、これもバネ３１で突出方向に付勢される。そして、バネ３１の一端は固定され他端が掛止ピン３０に接続され、中間で押しボタン３３に接続される。
【００１３】
そこで、室内から取っ手３５，３５に手を掛けて障子７を持ち上げると、掛止ピン３０がピン孔２７に至ったときにバネ３１の弾力でその孔２７に落ち込むので、障子７の開いた状態が保持される。また、押しボタン３３を押してバネ３１を押し曲げる（図６の二点鎖線参照）と掛止ピン３０が引っ込んでピン孔２７から抜けるので、ロックが解除されて障子７が重みで下がって閉じることになる。また、この際に押しボタン３３が下框２３のチャンネル形中に落ち込むことになる（図４）。なお、バネ３１には板バネ、コイルバネのいずれも使用できる。いずれにしても、自動ロックと解除装置９の仕組みについては、以上の構造に限定されるものではない。
【図面の簡単な説明】
【００１４】
【図１】この考案の一実施形態を示す目隠しパネル付き面格子サッシの屋外側から見た正面図である。
【図２】同目隠しパネル付き面格子サッシの屋内側から見た背面図である。
【図３】同目隠しパネル付き面格子サッシを障子が開いた状態で示す背面図である。
【図４】図１のＡ−Ａ線矢視の拡大断面図である。
【図５】図２のＢ−Ｂ線矢視の拡大断面図である。
【図６】図２のＣ部の拡大断面図である。
【符号の説明】
【００１５】
Ｓ  目隠しパネル付き面格子サッシ
Ｈ  高さ
１  窓枠
３  桟
５  上部目隠しパネル
７  障子
９  自動ロックと解除装置
１０ａ  障害起立部
１３  下枠
２３  下框
２５  目隠しパネル
３３  押しボタン
【図１】
0003130462.tif 000003
【図２】
0003130462.tif 000004
【図３】
0003130462.tif 000005
【図４】
0003130462.tif 000006
【図５】
0003130462.tif 000007
【図６】
0003130462.tif 000008